【手続補正書】
【提出日】平成29年8月14日(2017.8.14)
【手続補正１】
【補正対象書類名】特許請求の範囲
【補正対象項目名】全文
【補正方法】変更
【補正の内容】
【特許請求の範囲】
【請求項１】
送信機において、クリアチャネルアセスメント（ＣＣＡ）が未決定である間に、少なくとも１つの非保証型送信キャリアのうちの１つについてのクロスキャリア制御情報と、保証型送信キャリアについての制御情報およびデータのうちの１つまたは複数との複数の候補合成送信波形を事前準備することと、
前記送信機において、前記少なくとも１つの非保証型送信キャリアについての送信ステータスを受信することと、前記送信ステータスは、前記ＣＣＡ検査の結果を備え、
前記送信機によって、前記送信ステータスに基づいて前記複数の候補合成送信波形から送信波形を選択することと、
前記送信機によって、前記選択された送信波形を受信機に送信することと
を備える、ワイヤレス通信の方法。
【請求項２】
前記送信波形を前記選択することが、前記少なくとも１つの非保証型送信キャリア上でのクリア送信を示す、前記少なくとも１つの非保証型送信キャリアの前記受信された送信ステータスに応答して実施される、請求項１に記載の方法。
【請求項３】
前記複数の候補合成送信波形は、
前記少なくとも１つの非保証型送信キャリアの各々のためのクロスキャリア制御送信波形と、前記クロスキャリア制御送信波形が、前記関係する少なくとも１つの非保証型送信キャリアに関連するクロスキャリア制御情報を含み、
前記保証型送信キャリアのためのローカルキャリア送信波形と、前記ローカルキャリア送信波形が、前記保証型送信キャリアについての制御情報およびデータのうちの１つまたは複数を含み、を含む、請求項１に記載の方法。
【請求項４】
前記複数の候補合成送信波形の各々が、異なる変換演算を使用して形成される、請求項３に記載の方法。
【請求項５】
前記送信波形を前記選択することは、前記ローカルキャリア送信波形を前記受信された送信ステータスがクリア送信を示す前記少なくとも１つの非保証型送信キャリアの各々についての前記クロスキャリア制御送信波形と合成することを含む、請求項３に記載の方法。
【請求項６】
前記送信波形を前記選択することが、送信なしを示す前記少なくとも１つの非保証型送信キャリアの前記受信された送信ステータスに応答して前記ローカルキャリア送信波形のみを選択することを含む、請求項３に記載の方法。
【請求項７】
前記事前準備することと、前記受信することと、前記選択することと、前記選択された送信波形を前記送信することとが、
前記送信ステータスを受信することより前のサブフレームと、
前記送信ステータスを前記受信することから所定の時間後の第１のサブフレームとのうちの１つにおいて実施される、請求項１に記載の方法。
【請求項８】
送信機において、クリアチャネルアセスメント（ＣＣＡ）が未決定である間に、少なくとも１つの非保証型送信キャリアのうちの１つについてのクロスキャリア制御情報と、保証型送信キャリアについての制御情報およびデータのうちの１つまたは複数との複数の候補合成送信波形を事前準備するための手段と、
前記送信機において、前記少なくとも１つの非保証型送信キャリアについての送信ステータスを受信することと、前記送信ステータスは、前記ＣＣＡ検査の結果を備え、
前記送信機によって、前記送信ステータスに基づいて前記複数の候補合成送信波形から送信波形を選択するための手段と、
前記送信機によって、前記選択された送信波形を受信機に送信するための手段と
を備える、ワイヤレス通信のための装置。
【請求項９】
前記選択するための手段が、前記少なくとも１つの非保証型送信キャリア上でのクリア送信を示す、前記少なくとも１つの非保証型送信キャリアの前記受信された送信ステータスに応答して前記送信波形を選択するように適合される、請求項８に記載の装置。
【請求項１０】
前記複数の候補合成送信波形は、
前記少なくとも１つの非保証型送信キャリアの各々のためのクロスキャリア制御送信波形と、前記クロスキャリア制御送信波形が、前記関係する少なくとも１つの非保証型送信キャリアに関連するクロスキャリア制御情報を含み、
前記保証型送信キャリアのためのローカルキャリア送信波形と、前記ローカルキャリア送信波形が、前記保証型送信キャリアについての制御情報およびデータのうちの１つまたは複数を含み、を含む、請求項８に記載の装置。
【請求項１１】
前記複数の候補合成送信波形の各々が、異なる変換演算を使用して形成される、請求項１０に記載の装置。
【請求項１２】
前記送信波形を選択するための前記手段は、前記ローカルキャリア送信波形を前記受信された送信ステータスがクリア送信を示す前記少なくとも１つの非保証型送信キャリアの各々についての前記クロスキャリア制御送信波形と合成するように適合される、請求項１０に記載の装置。
【請求項１３】
前記送信波形を前記選択することが、送信なしを示す前記少なくとも１つの非保証型送信キャリアの前記受信された送信ステータスに応答して前記ローカルキャリア送信波形のみを選択することを含む、請求項１０に記載の装置。
【請求項１４】
前記事前準備するための手段と、前記受信するための手段と、前記選択するための手段と、前記選択された送信波形を前記送信するための手段とによって実施される前記動作が、
前記送信ステータスを受信することより前のサブフレームと、
前記送信ステータスを前記受信することから所定の時間後の第１のサブフレームとのうちの１つにおいて実施される、請求項８に記載の装置。
【請求項１５】
請求項１から７のいずれか一項に記載の方法を実施するための命令を備えるコンピュータプログラム。
【手続補正２】
【補正対象書類名】明細書
【補正対象項目名】０１３６
【補正方法】変更
【補正の内容】
【０１３６】
[00149]本開示についての以上の説明は、いかなる当業者でも本開示を作製または使用することができるように与えたものである。本開示への様々な修正は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願の出願当初の特許請求の範囲に記載された発明を付記する。
［Ｃ１］
送信機において、少なくとも１つの非保証型送信キャリアのうちの１つについてのクロスキャリア制御情報と、保証型送信キャリアについての制御情報およびデータのうちの１つまたは複数との複数の候補合成送信波形を事前準備することと、
前記送信機において、前記少なくとも１つの非保証型送信キャリアについての送信ステータスを受信することと、
前記送信機によって、前記送信ステータスに基づいて前記複数の候補合成送信波形から送信波形を選択することと、
前記送信機によって、前記選択された送信波形を受信機に送信することとを備える、ワイヤレス通信の方法。
［Ｃ２］
前記送信波形を前記選択することが、前記少なくとも１つの非保証型送信キャリア上でのクリア送信を示す、前記少なくとも１つの非保証型送信キャリアの前記受信された送信ステータスに応答して実施される、Ｃ１に記載の方法。
［Ｃ３］
前記複数の候補合成送信波形は、
前記少なくとも１つの非保証型送信キャリアの各々のためのクロスキャリア制御送信波形と、前記クロスキャリア制御送信波形が、前記関係する少なくとも１つの非保証型送信キャリアに関連するクロスキャリア制御情報を含み、
前記保証型送信キャリアのためのローカルキャリア送信波形と、前記ローカルキャリア送信波形が、前記保証型送信キャリアについての制御情報およびデータのうちの１つまたは複数を含み、を含む、Ｃ１に記載の方法。
［Ｃ４］
前記複数の候補合成送信波形の各々が、異なる変換演算を使用して形成される、Ｃ３に記載の方法。
［Ｃ５］
前記送信波形を前記選択することは、前記ローカルキャリア送信波形を前記受信された送信ステータスがクリア送信を示す前記少なくとも１つの非保証型送信キャリアの各々についての前記クロスキャリア制御送信波形と合成することを含む、Ｃ３に記載の方法。
［Ｃ６］
前記送信波形を前記選択することが、送信なしを示す前記少なくとも１つの非保証型送信キャリアの前記受信された送信ステータスに応答して前記ローカルキャリア送信波形のみを選択することを含む、Ｃ３に記載の方法。
［Ｃ７］
前記事前準備することと、前記受信することと、前記選択することと、前記選択された送信波形を前記送信することとが、
前記送信ステータスを受信することより前のサブフレームと、
前記送信ステータスを前記受信することから所定の時間後の第１のサブフレームとのうちの１つにおいて実施される、Ｃ１に記載の方法。
［Ｃ８］
送信機において、保証型送信キャリアについての制御情報およびデータのうちの１つまたは複数の複数の候補単一送信波形を事前準備することと、
前記送信機において、少なくとも１つの非保証型送信キャリアについての送信ステータスを受信することと、
前記送信機によって、前記送信ステータスに基づいて前記複数の候補単一送信波形から送信波形を選択することと、
前記送信機によって、前記選択された送信波形を受信機に送信することとを備える、ワイヤレス通信の方法。
［Ｃ９］
前記送信波形を前記選択することが、前記少なくとも１つの非保証型送信キャリア上での送信なしを示す、前記少なくとも１つの非保証型送信キャリアの前記受信された送信ステータスに応答して実施される、Ｃ８に記載の方法。
［Ｃ１０］
前記事前準備することと、前記受信することと、前記選択することと、前記選択された送信波形を前記送信することとが、
前記送信ステータスを受信することより前のサブフレームと、
前記送信ステータスを前記受信することから所定の時間後の第１のサブフレームとのうちの１つにおいて実施される、Ｃ８に記載の方法。
［Ｃ１１］
送信機によって、送信フレームの第１のサブフレームに入ることと、
前記送信機において、前記送信機に関連する少なくとも１つの非保証型送信キャリアについての送信ステータスを受信することと、
前記送信機によって、前記第１のサブフレームの固定数のシンボルの間に非保証型送信キャリア上で非時間制約型信号を送信することと、
前記送信機によって、前記第１のサブフレーム中の前記固定数のシンボル後の第１の送信シンボルにおいて開始する、前記送信ステータスに応答して生成された送信波形を送信することと、ここにおいて、前記送信波形が前記送信ステータスに基づく、を備える、ワイヤレス通信の方法。
［Ｃ１２］
前記送信波形波形は、
クリア送信を示す前記送信ステータスを有する前記少なくとも１つの非保証型送信キャリアの各々についてのクロスキャリア制御情報と、保証型送信キャリアについての制御情報およびデータのうちの１つまたは複数との合成送信波形、あるいは
前記少なくとも１つの非保証型送信キャリアの各々が、送信なしを示す前記送信ステータスを有するときの、前記保証型送信キャリアについての制御情報およびデータのうちの前記１つまたは複数の単一送信波形のうちの１つを含む、Ｃ１１に記載の方法。
［Ｃ１３］
前記非時間制約型信号が、共通基準信号（ＣＲＳ）、チャネル使用パイロット信号（ＣＵＰＳ）、チャネル使用ビーコン信号（ＣＵＢＳ）、同期信号、ＣＳＩ−ＲＳ、またはそれらの組合せのうちの１つまたは複数を含む、Ｃ１１に記載の方法。
［Ｃ１４］
送信機によって、送信フレームの第１のサブフレームに入ることと、
前記送信機において、前記送信機に関連する少なくとも１つの非保証型送信キャリアについての送信ステータスを受信することと、
前記送信機によって、前記第１のサブフレームの固定数のシンボルの間に保証型送信キャリア上で非時間制約型信号を送信することと、
前記送信機によって、前記第１のサブフレーム中の前記固定数のシンボル後の第１の送信シンボルにおいて開始する、前記送信ステータスに応答して生成された送信波形を送信することと、ここにおいて、前記送信波形が前記送信ステータスに基づく、を備える、ワイヤレス通信の方法。
［Ｃ１５］
前記送信波形波形が、前記少なくとも１つの非保証型送信キャリアの各々が、送信なしを示す前記送信ステータスを有するときの、前記保証型送信キャリアについての制御情報およびデータのうちの前記１つまたは複数の単一送信波形を含む、Ｃ１４に記載の方法。
［Ｃ１６］
前記非時間制約型信号が、共通基準信号（ＣＲＳ）、チャネル使用パイロット信号（ＣＵＰＳ）、チャネル使用ビーコン信号（ＣＵＢＳ）、同期信号、ＣＳＩ−ＲＳ、またはそれらの組合せのうちの１つまたは複数を含む、Ｃ１４に記載の方法。